【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
枚葉紙状材料の下方に配置された案内面（４）と、該案内面（４）の内部で各区域（６、８、１０）に配置されたノズル（１２、１４、１６）とを有しており、第１の区域（６）は前記案内面（４）の縦軸に沿って延び、第２の区域（８）と第３の区域（１０）は前記第１の区域（６）の各側にそれぞれ配置され、前記第１の区域（６）に配置されたノズル（１２）は送風ノズルによって構成されて、それらの送風方向は実質的に枚葉紙搬送方向（Ａ）に向けられており、前記第１の区域（６）のノズル（１２）は、前記第２の区域（８）および前記第３の区域（１０）のノズル（１４、１６）とは独立に送風空気を供給できる、印刷機において枚葉紙状材料を案内する装置において、
前記第２、第３の区域（８、１０）に設けられたノズル（１４、１６）が送風ノズルによって構成され、その送風方向は、実質的に、前記案内面（４）の縦軸から離れて前記案内面（４）の側縁に向かう方向であり、かつ枚葉紙搬送方向に対して３０°から９０°の範囲の角度をなし、
前記第１の区域（６）には、前記第１の区域（６）のノズル（１２）に送風空気を供給する送風箱（１８、１１８）が付属し、
前記第１の区域（６）の送風箱（１８、１１８）に付属して、第１の送風箱（１８、１１８）に送風空気を供給する第１の送風機（２４、１２４、２００）が設けられ、
印刷機の表刷り運転中に第１の送風機（２４、１２４、２００）を停止させる手段を有することを特徴とする、枚葉紙材料を案内する装置。
【請求項２】
枚葉紙状材料の下方に配置された案内面（４）と、該案内面（４）の内部で各区域（６、８、１０）に配置されたノズル（１２、１４、１６）とを有しており、第１の区域（６）は前記案内面（４）の縦軸に沿って延び、第２の区域（８）と第３の区域（１０）は前記第１の区域（６）の各側にそれぞれ配置され、前記第１の区域（６）に配置されたノズル（１２）は送風ノズルによって構成されて、それらの送風方向は実質的に枚葉紙搬送方向（Ａ）に向けられており、前記第１の区域（６）のノズル（１２）は、前記第２の区域（８）および前記第３の区域（１０）のノズル（１４、１６）とは独立に送風空気を供給できる、印刷機において枚葉紙状材料を案内する装置において、
前記第２、第３の区域（８、１０）に設けられたノズル（１４、１６）が送風ノズルによって構成され、その送風方向は、実質的に、前記案内面（４）の縦軸から離れて前記案内面（４）の側縁に向かう方向であり向きであり、かつ枚葉紙搬送方向に対して３０°から９０°の範囲の角度をなし、
印刷機の両面印刷の間、前記第１の区域（６）のノズル（１２）に前記の付属する送風機（２４、１２４、２００）によって送風空気を供給し、また印刷機の表面印刷の間、前記第１の領域（６）のノズル（１２）への対応する送風機（２４、１２４、２００）による送風の供給を遮断する手段を有することを特徴とする、枚葉紙状材料を案内する装置。
【請求項３】
前記第１の区域（６）におけるノズル（１２）の送風方向が前記案内面（４）の側部の方向の他の成分を有する、請求項１または２に記載の装置。
【請求項４】
前記第１の区域（６）に設けられたノズル（１２）の送風方向が前記案内面（４）の表面法線の方向の成分を有する、請求項１から３のいずれか１項に記載の装置。
【請求項５】
前記第２および第３の区域（８、１０）に設けられたノズル（１４、１６）の送風方向が、前記案内面（４）の表面法線の方向の成分を有する、請求項１から４のいずれか１項に記載の装置。
【請求項６】
前記第１の区域（６）のノズル（１２）のまわりに、送風方向が表面法線の方向の成分のみを有する送風ノズルが設けられている、請求項１から５のいずれか１項に記載の装置。
【請求項７】
前記第２の区域（８）と前記第３の区域（１０）には、第２の区域（８）と第３の区域（１０）に配置されたノズル（１４、１６）に送風空気を供給する送風箱（２０、２２；１２０、１２２）が付属している、請求項１から６のいずれか１項に記載の装置。
【請求項８】
前記第２の区域（８）と前記第３の区域（１０）の送風箱（２０、２２；１２０、１２２）には、共通の送風機（１２８）および/または独立した送風機（２６、２８）によって送風空気が供給される、請求項７に記載の装置。
【請求項９】
前記第２の区域（８）と前記第３の区域（１０）のノズル（１４、１６）に、印刷機の表刷り運転中および両面刷り運転中、付属の送風機（２６、２８、２００）によって送風空気を供給する手段が設けられている、請求項１から８のいずれか１項に記載の装置。
【請求項１０】
各区域（６、８、１０）のノズル（１２、１４、１６）は、前記案内面（４）の内部にあるスリットノズルとして形成されている、請求項１から９のいずれか１項に記載の装置。
【請求項１１】
枚葉紙（２）が、少なくとも部分的に、案内面（４）の内部で各区域に配置された送風ノズル（１２、１４、１６）を有する案内面の上方を移動させられ、第１の区域（６）が前記案内面（４）の縦軸に沿って延びていて、この第１の区域に配置されたノズル（１２）の送風方向は実質的に枚葉紙搬送方向（Ａ）に向けられており、第２の区域（８）と第３の区域（１０）は第１の区域（６）の各側部に配置されていて、それらの送風方向は実質的にそれぞれ前記案内面の縦軸から離れる方向に向いている、表刷り運転でも両面刷り運転でも運転可能な枚葉紙オフセット輪転印刷機における枚葉紙を案内する方法において、
前記第２の区域（８）と前記第３の区域（１０）のノズル（１４、１０）には、印刷機の表刷り運転中も両面刷り運転中も送風空気を供給し、前記第１の区域（６）のノズル（１２）には印刷機の両面刷り運転中に送風空気を供給するが、印刷機の表刷り運転中は前記第１の区域（６）のノズル（１２）への送風空気の供給を遮断することを特徴とする、枚葉紙を案内する方法。
【手続補正２】
【補正対象書類名】明細書
【補正対象項目名】０００１
【補正方法】変更
【補正の内容】
【０００１】
【発明の属する技術分野】
本発明は、請求項１、２、および１１の前提部に記載された、印刷機、特に枚葉紙オフセット輪転印刷機で枚葉紙状材料を案内する装置と方法に関するものである。


【手続補正３】
【補正対象書類名】明細書
【補正対象項目名】０００４
【補正方法】変更
【補正の内容】
【０００４】
【発明が解決しようとする課題】
本発明の目的は、両面刷り運転中は両面に印刷された枚葉紙の信頼できる浮動案内が保証され、高速での表刷り運転中は極めて短い調整時間と、枚葉紙の確実で効果的な張りを達成できる装置および方法を提供することである。さらに、本発明の目的は、表刷り運転における枚葉紙案内のための所要エネルギーと装置コストを低減することである。


【手続補正４】
【補正対象書類名】明細書
【補正対象項目名】０００５
【補正方法】変更
【補正の内容】
【０００５】
【課題を解決するための手段】
本発明によれば、上記の目的は請求項１、２、および１１の特徴部に記載された特徴によって達成される。本発明のその他の特徴は、従属請求項に記載されている。本発明は特に、印刷機の表刷り運転と両面刷り運転の間での枚葉紙案内の切り替えが面倒な調整作業なしに可能であるという利点を有する。さらに、本発明の装置は特に、高熱が発生し、かつ回転方向を切り替えられる軸流換気機または軸流送風機を使用できない乾燥区間の範囲で問題なく使用できるという利点がある。